(57)【要約】【課題】折り畳んだ状態から組み立てた直後の形状でも、簡単な作業で変えたバス近似形でも使用でき、使用後はバスの玩具としても使えるようにする。【解決手段】表面に、乗り物バスの図柄が印刷されていて、組み立て直後の原形状からバスの前面上部に凹部を設けたバス近似形状に変形するために、変形の際に切り取られるべき切除部分１０、１１を設け、切り離して前記切除部分１０、１１を除去するためのミシン目ｍと、その他、変形時に必要な切り離しのためのミシン目ｍを設ける。バスの図柄のタイヤの下部相当部分Ｔ１  、Ｔ２  、Ｔ１１、Ｔ１２は、底面から下ヘ突出すようにする。さらにその形状から取っ手部Ｈ１  、Ｈ１１を内部に折り込んで模擬形状とするときは、バスの図柄のガラス張りフロント部分Ｆ３  の中央に設けられた上下に細長い孔８ａに、切除部分１０、１１を除去した後の取っ手部の前端部を貫通させる。【選択図】        図１
2005001733.tif 000002
【特許請求の範囲】
【請求項１】
組み立て直後の状態である原形状から他の形状に変形することができるキャリーカートンであって、
前記原形状は上部に取っ手部が突き出た略直方体であり、
前記他の形状は、少なくとも前記原形状の一部に凹部を設けた形状であり、
前記原形状から前記他の形状に移行する際に切り取られるべき切除部分と、
前記切除部分を除去するための第１の切離線と、
前記凹部を形成するための第２の切離線と、
を含む変形可能なキャリーカートン。
【請求項２】
請求項１に記載の変形可能なキャリーカートンにおいて、
前記キャリーカートンの表面に、乗り物バスをイメージさせる図柄が印刷されていて、前記凹部は前記乗り物バスの前面上部に設けられていること
を特徴とする変形可能なキャリーカートン。
【請求項３】
請求項２に記載の変形可能なキャリーカートンにおいて、
前記原形状、及び前記他の形状で、左右両側面の前記乗り物バスの図柄のタイヤ下部に相当する部分が、底面から下ヘ突出していること
を特徴とする変形可能なキャリーカートン。
【請求項４】
請求項２、又は請求項３のいずれかに記載の変形可能なキャリーカートンにおいて、
キャリーカートンを前記原形状の状態、及び前記他の形状の中の取っ手部が内部に折り込まれた状態のいずれの場合にも、
それぞれの場合の取っ手部の前端部を貫通させるための上下に細長い孔が、前記乗り物バスの図柄のガラス張りフロント部の中央に設けられていること
を特徴とする変形可能なキャリーカートン。
【発明の詳細な説明】
【０００１】
【発明の属する技術分野】
本発明は、折り畳み状態から組み立てて、ケーキ類や軽食類などの食品を入れて持ち運ぶためのキャリーカートンに関し、特に表面に印刷された乗り物などに相応しい形状に変えることができるような、変形可能なキャリーカートンに関するものである。
【０００２】
【従来の技術】
従来、ケーキ類や軽食類などの食品を入れて持ち運ぶために、食品を入れる直前に組み立てて使用するキャリーカートンが多用されている。
これらのカートンの大半は、組み立てられた状態で、手で持つために指を通す孔を設けた取っ手部が上部に突き出した略直方体の形状につくられている。
【０００３】
このようなキャリーカートンは、しばしば、子供に喜ばれるようなデザインが要求されることが多い。
たとえば、遊園地などの売店で、屋外のテーブルなどにセルフサービスで運んだり、持ち帰りのためのキャリーカートンには、動物や人気キャラクターなどの印刷がされているものもある。
【０００４】
【発明が解決しようとする課題】
子供は殆ど例外なく乗り物が好きである。そこで遊園地などで、廃車したバスなどを改装して売店とした場合など、その店で売るものの入れものとして、店舗の形に似た外形のキャリーカートンを持たせることによって、子供達を大いに喜ばせることができる。
店舗として使用される廃車バスは、最近のレトロブームと、入手が容易なところから、ボンネットが前方に突き出し、その後方に操縦席のフロントガラスがある、旧型のいわゆるボンネットバスであることが多い。
ところが、従来の一般的なキャリーカートンは、上部に取っ手部を設けた単純な長方形であるので、表面にバスの外形を模写した印刷を施しても、形がボンネットバス形でないと、いま一つ物足りない。
【０００５】
本発明の課題は、上記の問題を解決し、折り畳んだ状態から組み立てた直後の通常のキャリーカートンの形状、又は簡単な作業で変えた旧型バス形で使用し、使用後は、さらに取っ手部を車体の中に折り込んでボンネットバス形とし、乗り物バスの玩具としても使えるような、変形可能なキャリーカートンを提供することである。
【０００６】
【課題を解決するための手段】
前記課題を解決するために、請求項１の発明は、組み立て直後の状態である原形状から他の形状に変形することができるキャリーカートンであって、前記原形状は上部に取っ手部（Ｈ１  、Ｈ１１）が突き出た略直方体であり、前記他の形状は、少なくとも前記原形状の一部に凹部を設けた形状であり、前記原形状から前記他の形状に移行する際に切り取られるべき切除部分（１０、１１）と、前記切除部分（１０、１１）を除去するための第１の切離線（ｍ）と、前記凹部を形成するための第２の切離線（ｍ）と、を含む変形可能なキャリーカートンである。
【０００７】
請求項２の発明は、請求項１に記載の変形可能なキャリーカートンにおいて、前記キャリーカートンの表面に、乗り物バスをイメージさせる図柄が印刷されていて、前記凹部は前記乗り物バスの前面上部に設けられていることを特徴とする変形可能なキャリーカートンである。
【０００８】
請求項３の発明は、請求項２に記載の変形可能なキャリーカートンにおいて、前記原形状、及び前記他の形状で、左右両側面の前記乗り物バスの図柄のタイヤ下部に相当する部分（Ｔ１  、Ｔ２  、Ｔ１１、Ｔ１２）が、底面から下ヘ突出していることを特徴とする変形可能なキャリーカートンである。
【０００９】
請求項４の発明は、請求項２、又は請求項３のいずれかに記載の変形可能なキャリーカートンにおいて、キャリーカートンを前記原形状の状態、及び前記他の形状の中の取っ手部（Ｈ１  、Ｈ１１）が内部に折り込まれた状態のいずれの場合にも、それぞれの場合の取っ手部の前端部（Ｈ２  、Ｈ１２、Ｈ４  、Ｈ１４）を貫通させるための上下に細長い孔（８ａ）が、前記乗り物バスの図柄のガラス張りフロント部（Ｆ３  ）の中央に設けられていることを特徴とする変形可能なキャリーカートンである。
【００１０】
【発明の実施の形態】
以下、図面等を参照して、本発明の実施形態について、さらに詳しく説明する。
図１は、本発明の実施形態のキャリーカートンを、手提げの箱形紙容器（以下、紙容器という。）として組み立てられた直後の形状（以下、原形状という。）で示した斜視図である。
紙容器の表面には、バスなどの子供達に人気のある乗り物などの図柄が印刷されている。
図２は、図１の状態のキャリーカートンの右側面図である。
図３は、折り畳んだ状態のキャリーカートンの一面を示す平面図である。
図４は、図３の裏面を示す平面図である。
【００１１】
図１に示すように、図３、及び図４に示す折り畳み状態から原形状に組み立てられた状態では、従来の一般的な組み立て済みキャリーカートンの外形と殆ど変わらない。
表面に印刷された図柄のタイヤの下部Ｔ１  、Ｔ２  、Ｔ１１、Ｔ１４は、組み立てられた紙容器の底面から下方に突き出すように構成して、少しでも車のイメージに近づけるようにしてある。
また、この部分のみ、底面に開口があくので、作りたての食品を入れても、蒸気抜きをすることができる。
【００１２】
原形状の場合は、車体前面下部Ｆ１  とそれに続くボンネット部Ｆ２  がフラットで、ボンネット部Ｆ２  に続くガラス張りフロント部Ｆ３  は、ボンネット部Ｆ２  よりやや内側に折り曲げられ、その中央に設けられた縦に細長い取っ手端部挿入孔８ａに、取っ手前端部Ｈ２  、Ｈ１２が挿入される。
原形状の後側は、後面Ｒ１  に続く後面取っ手係合部Ｒ２  は、後面Ｒ１  よりやや内側に折り曲げられ、その中央に設けられた縦に細長い取っ手端部挿入孔８ｂに、取っ手後端部Ｈ３  、Ｈ１３が挿入される。
【００１３】
切り込み５、６は、取っ手握り部Ｈ１  、Ｈ１１の下側を切り離すためのものである。
切り込み孔７ａ、７ｂは、キャリーカートンの全ての形状を構成するとき、図柄の天井部分を形成するために、切り込み６によって切り離された紙容器本体側の凸部の前後の湾曲部を挿入するためのものである。
【００１４】
原形状のキャリーカートンは、そのままケーキ、その他の軽食物などを入れて使用してもよいが、使用者を喜ばせるためには、紙容器の外形を、さらに被模擬物のバスなどに近づけた形状（以下、近似形状という。）にすることができれば、その効果を高めることができる。
図５は、図１の原形状からさらに、近似形状に近づけるための変形途中の状態を示す斜視図である。
【００１５】
切除部分１０と１１は、キャリーカートンを原形状から近似形状にするために、原形状の紙容器の一部から切り離される部分である。
ミシン目ｍ、ｍ・・・ｍは、切除部分１０と１１を、他の部分から切り離すためと、その他の部分で、上記変形に必要な切り離しを、行うためのものである。
【００１６】
切除部分１０は、図３の図中に示す点３ｃ、３ｄ、３ｅ、３ｆ、３ｇによって囲まれる部分である。
この部分の切り離しは、点３ｃと３ｄの間、点３ｃと３ｇの間、及び点３ｇと３ｆの間のミシン目ｍ、ｍ、ｍで切り離すことができる。
切除部分１１は、図４の図中に示す点４ｃ、４ｄ、４ｅ、４ｆ、４ｇによって囲まれる部分である。
この部分の切り離しは、点４ｃと４ｄの間、点４ｃと４ｇの間、及び点４ｇと４ｆの間のミシン目ｍ、ｍ、ｍで切り離すことができる。
【００１７】
切除部分１０が切り離された後の取っ手部の先端部は、Ｈ４  であり、切除部分１１が切り離された後の取っ手部の先端部は、Ｈ１４である。先端部Ｈ４  とＨ１４のそれぞれの下側の凹所は、近似形状を形成するとき、前面のガラス張りフロント部Ｆ３  の上部中央に係合される。
図３の図中に示す点３ａ、３ｂ、３ｄを結ぶ直線で囲まれる部分と点３ｂ、３ｃ、３ｄを結ぶ直線で囲まれる部分、及び図４の図中に示す点４ａ、４ｂ、４ｄを結ぶ直線で囲まれる部分と点４ｂ、４ｃ、４ｄを結ぶ直線で囲まれる部分は、いずれも紙容器を原形状から近似形状に変える際に、内側に折り曲げられる。
【００１８】
近似形状を形成するとき、点３ａ、３ｂ、３ｄを結ぶ直線で囲まれる部分は、点３ｂと点３ｄの間のミシン目ｍの部分が切り離されている状態で、点３ａと点３ｂを結ぶ線を山折りの折り目として折り曲げられる。
点３ｂ、３ｃ、３ｄを結ぶ直線で囲まれる部分は、点３ｂと点３ｄの間のミシン目ｍ、及び点３ｃと点３ｄの間のミシン目ｍが切り離されている状態で、点３ｂと点３ｃを結ぶ線を山折りの折り目として折り曲げられる。
【００１９】
近似形状を形成するとき、点４ａ、４ｂ、４ｄを結ぶ直線で囲まれる部分は、点４ｂと点４ｄの間のミシン目ｍの部分が切り離されている状態で、点４ａと点４ｂを結ぶ線を山折りの折り目として折り曲げられる。
点４ｂ、４ｃ、４ｄを結ぶ直線で囲まれる部分は、点４ｂと点４ｄの間のミシン目ｍ、及び点４ｃと点４ｄの間のミシン目ｍが切り離されている状態で、点４ｂと点４ｃを結ぶ線を山折りの折り目として折り曲げられる。
【００２０】
近似形状を形成するとき、表面図柄の車体前面下部Ｆ１  とボンネット部Ｆ２  の境界線１ｆは山折りされ、ボンネット部Ｆ２  とガラス張りフロント部Ｆ３  の境界線２ｆは、谷折りされる。
折られたボンネット部Ｆ２  の左右の裏側は、点３ａ、３ｂ、３ｄを結ぶ直線で囲まれる部分と、点４ａ、４ｂ、４ｄを結ぶ直線で囲まれる部分で支えられる。
折られたガラス張りフロント部Ｆ３  の左右の裏側は、点３ｂ、３ｃ、３ｄを結ぶ直線で囲まれる部分と点４ｂ、４ｃ、４ｄを結ぶ直線で囲まれる部分で支えられる。
【００２１】
図６は、このようにして形成された近似形状のキャリーカートンを示す斜視図である。
近似形状のキャリーカートンは、図６に示すように、取っ手部Ｈ１  、Ｈ１１は、紙容器本体の上に出ていて、原形状と同様に取っ手本来の役目を果たす。
近似形状は、車体前面下部Ｆ１  が、ガラス張りフロント部Ｆ３  よりボンネット部Ｆ２  の分だけ前に突き出している。
図３、図４に示すように、取っ手部Ｈ１  、Ｈ１１の前方には、挿入孔７ａ等と同じ形状の挿入孔９ａ、９ｂが形成されている。
この挿入孔９ａ、９ｂの波形を互いに挿入することにより、図６に示すように、取っ手部Ｈ１  、Ｈ１１の前方を係合させ、安定した形態を保つことができる。
近似形状にしたときに、切除部分１１、１２がなくなり（図５参照）、取っ手前端部Ｈ４  、Ｈ１４の係合が弱くなる場合には、特に有効である。
この挿入孔９ａ、９ｂは、挿入孔７ａ等と同じ刃型で抜けばよいので、コストアップにならない。
【００２２】
この突き出した部分には、紙容器本体内に入れる食品に付属の調味料，ドライアイスやティッシュ類、あるいは景品などを入れるのに都合が良い。
本発明のキャリーカートンは、原形状あるいは近似形状で、菓子やその他の食品を運ぶ本来の目的に使用した後に、さらに変形して、子供の喜ぶ玩具の形（以下、模擬形状という。）にすることができる。
【００２３】
原形状、及び近似形状では、取っ手部Ｈ１  、Ｈ１１は、紙容器の上面から立ち上げられているが、模擬形状では、紙容器本体の内部方向に立ち下げ、後面取っ手係合部Ｒ２  も内部に折り込んで、外から見えないようにすればよい。
図７は、模擬形状に変形させたキャリーカートンを示す斜視図である。
模擬形状では、取っ手部の先端部Ｈ４  、Ｈ１４は、ガラス張りフロント部Ｆ３  の中央に設けられた取っ手端部挿入孔８ａに挿入して係合される。
【００２４】
（変形形態）
以上説明した実施形態に限定されることなく、種々の変形や変更が可能であって、それらも本発明の均等の範囲内である。
たとえば、紙容器の表面の図柄は、バス以外の宅配専用車や移動図書館などをイメージするものであってもよく、その他、紙容器の外形や構造についても、種々の変形が考えられるが、本発明の主旨に沿うものであれば、いずれも本発明に含まれる。
【００２５】
【発明の効果】
以上詳しく説明したように、本発明によれば、組み立て直後の状態である原形状から他の形状に変形することができるキャリーカートンであって、原形状は上部に取っ手部が突き出た略直方体であって、従来の手提げ紙容器として使用することができ、変形した他の形状を、バスなどの形状に近づけることによって、菓子、その他の食品を運ぶときに、楽しみを増加させることができる。
しかも、本来の目的に沿って使用した後に、取っ手の部分を紙容器内に折り込むなどにより、一層バスなどの形状に近づけることができ、玩具としても利用することができるという効果がある。
【図面の簡単な説明】
【図１】本発明の実施形態を紙容器として組み立てた直後の原形状で示した斜視図である。
【図２】図１の状態のキャリーカートンの右側面図である。
【図３】折り畳んだ状態のキャリーカートンの一面を示す平面図である。
【図４】図３の裏面を示す平面図である。
【図５】図１の原形状から近似形状に近づける変形の途中状況を示す斜視図である。
【図６】近似形状のキャリーカートンを示す斜視図である。
【図７】模擬形状のキャリーカートンを示す斜視図である。
【符号の説明】
１ｆ  折り目（山折り）
２ｆ  折り目（谷折り）
３ａ、３ｂ、３ｃ、３ｄ、３ｅ、３ｆ、３ｇ  右側面上の点
４ａ、４ｂ、４ｃ、４ｄ、４ｅ、４ｆ、４ｇ  左側面上の点
５、６  取っ手孔用切断線
７ａ、７ｂ  取っ手孔湾曲部の挿入孔
８ａ、８ｂ  取っ手端部挿入孔
９ａ、９ｂ  取っ手係合部の挿入孔
１０、１１  切除部分
Ｆ１    車体前面下部
Ｆ２    ボンネット部
Ｆ３    ガラス張りフロント部（前面取っ手係合部）
Ｈ１  、Ｈ１１  取っ手部
Ｈ２  、Ｈ１２  取っ手前端部
Ｈ３  、Ｈ１３  取っ手後端部
Ｈ４  、Ｈ１４  近似形状の取っ手前端部
Ｒ１    後面
Ｒ２    後面取っ手係合部
Ｔ１  、Ｔ２  、Ｔ１１、Ｔ１４  タイヤ
ｍ  ミシン目（切離線）
【図１】
2005001733.tif 000003
【図２】
2005001733.tif 000004
【図３】
2005001733.tif 000005
【図４】
2005001733.tif 000006
【図５】
2005001733.tif 000007
【図６】
2005001733.tif 000008
【図７】
2005001733.tif 000009